【手続補正書】
【提出日】平成15年12月19日(2003.12.19)
【手続補正１】
【補正対象書類名】明細書
【補正対象項目名】全文
【補正方法】変更
【補正の内容】
【発明の名称】  電気通信システムにおける測定報告
【特許請求の範囲】
【請求項１】  複数の移動局と、複数の基地局（ＢＳ１１，ＢＳ１２）を含むネットワークから成る電気通信システム（１０）の測定報告の方法であって、移動局（ＭＳ）と基地局（ＢＳ１１，ＢＳ１２）との間のリンクを確立するか取り消しかのハンドオーバの決定が前記移動局（ＭＳ）から前記ネットワークに送られる測定報告に基づいて前記ネットワークで行われる方法において、
前記ネットワークによって前記移動局（ＭＳ）に対し、該移動局（ＭＳ）用の複数のパラメータを規定するステップ（Ｇ００）と、
前記パラメータを前記移動局（ＭＳ）に送信するステップ（Ｇ００）と、
前記ネットワークによって規定されたパラメータを利用して、前記移動局（ＭＳ）によって、複数の独立した測定報告トリガ条件を決定するステップと、
それぞれの基地局（ＢＳ１１，ＢＳ１２）から受信した複数の無線信号の特性を前記移動局（ＭＳ）で監視するステップ（Ｇ０１）と、
測定報告トリガ条件が満たされているか否かを前記移動局（ＭＳ）によって確認するステップと、
前記トリガ条件のうちの１つが満たされていると、前記移動局（ＭＳ）で監視された無線信号に関する情報からなる測定報告を生成するステップと、
前記生成された測定報告を前記ネットワークに送信するステップとからなることを特徴とする方法。
【請求項２】  複数の移動局と、複数の基地局（ＢＳ１１、ＢＳ１２）を含むネットワークから成る電気通信システム（１０）の測定報告の方法であって、
移動局（ＭＳ）と基地局（ＢＳ１１、ＢＳ１２）との間のリンクを確立するか取消しにするかのハンドオーバの決定が前記移動局（ＭＳ）から前記ネットワークに送られる測定報告に基づいて前記ネットワークで行われる方法において、
前記ネットワークによって前記移動局用の複数の独立した測定報告トリガ条件を送信するステップ（Ｇ００）と、
それぞれの基地局（ＢＳ１１、ＢＳ１２）から受信した複数の無線信号の特性を前記移動局（ＭＳ）で監視するステップ（Ｇ０１）と、
前記の監視された無線信号と前記のトリガ条件の双方に応答して、前記移動局（ＭＳ）にて前記監視された無線信号に関する情報を含む測定報告を生成するステップと、
前記の生成された測定報告を前記ネットワークに送信するステップとからなることを特徴とする方法。
【請求項３】  前記方法が更に、測定報告を送信するステップに関連してタイマーをリセットするステップを含み、
前記トリガ条件のうちの１つが、前記タイマーの値に関する条件から成ることを特徴とする請求項１または２に記載の方法。
【請求項４】  前記トリガ条件のうちの１つが、  無線信号パラメータの閾値、またはその関数であることを特徴とする請求項１に記載の方法。
【請求項５】  前記無線信号パラメータが受信した信号の受信電力レベル、またはその関数であることを特徴とする請求項４に記載の方法。
【請求項６】  前記無線信号パラメータが受信した無線信号内の干渉、またはその関数であることを特徴とする請求項４に記載の方法。
【請求項７】  前記ネットワークが、異なる拡散符号を用いて接続が分離されるＣＤＭＡエアインターフェースを利用すると共に、
前記干渉の値が干渉電力の推定値であることを特徴とする請求項６に記載の方法。
【請求項８】  前記ネットワークによって、少なくとも１つのトリガ条件が有効であり、残りのトリガ条件がある場合はそれらが無効であるように前記測定報告トリガ条件の有効性を規定するステップと、
無効なトリガ条件を満たしていることに応じて、前記生成された測定報告の送信を実行しないステップと、
１つの有効なトリガ条件が満たされていると、前記生成された測定報告の送信を実行するステップとをさらに有することを特徴とする請求項１に記載の方法。
【請求項９】  前記移動局が監視する基地局から、対応する基地局特定のオフセット値を前記移動局が受信するステップと、
前記移動局（ＭＳ）によって測定報告トリガ条件が満たされているか否かを確認するステップで前記基地局特定のオフセット値を利用するステップとをさらに有することを特徴とする請求項４に記載の方法。
【請求項１０】  前記オフセット値が前記ネットワークによって動的に規定されることを特徴とする請求項９に記載の方法。
【請求項１１】  前記１つのトリガ条件が無線パラメータの変化の閾値、またはその関数であることを特徴とする請求項４に記載の方法。
【請求項１２】  第１セットのトリガ条件がアップリンク方向での無線信号について規定され、第２セットのトリガ条件がダウンリンク方向での無線信号について規定され、
前記第１と第２のセットのトリガ条件を組合わせるために論理関数が規定され、
前記移動局（ＭＳ）で、各トリガ条件の状態が決定され、論理関数を用いて前記状態が組合わされ、前記測定報告が論理関数の状態に応じて送信されることを特徴とする請求項４に記載の方法。
【請求項１３】  前記第１と第２のセットのトリガ条件が前記ネットワークによって動的に規定されることを特徴とする請求項１２に記載の方法。
【請求項１４】  前記論理関数が前記ネットワークによって規定されることを特徴とする請求項１２または１３に記載の方法。
【請求項１５】  前記第１と第２のセットのトリガ条件の第１の組合わせと、前記論理関数とが、前記移動局（ＭＳ）との稼動状態リンクを有する稼動状態基地局からの、または稼動状態基地局への無線信号に利用されるように規定され、
前記第１と第２のセットのトリガ条件の第２の組合わせと、前記論理関数が、前記移動局（ＭＳ）との稼動状態リンクを有していない候補基地局からの、または候補基地局への無線信号に利用されるように規定され、
かつ前記移動局（ＭＳ）で、前記第１の組合わせは稼動状態基地局からの、または稼動状態基地局への無線信号に利用され、前記第２の組合わせは候補基地局からの、または候補基地局への無線信号に利用されることを特徴とする請求項１２に記載の方法。
【請求項１６】  前記ネットワークが前記移動局（ＭＳ）から候補基地局によってトリガされた測定報告を受信すると、前記移動局（ＭＳ）と、前記移動局（ＭＳ）との稼動状態リンクを有していないその候補基地局との間に稼動状態リンクを生成するステップを有する請求項１５に記載の方法。
【請求項１７】  前記ネットワークが前記移動局（ＭＳ）から稼動状態基地局によってトリガされた測定報告を受信すると、前記移動局（ＭＳ）とその基地局との間の稼動状態リンクを抹消するステップを有する請求項１５または１６に記載の方法。
【請求項１８】  前記異なる２つの論理関数が、基地局が稼動状態セットにある場合、前記基地局が候補セットにある場合に測定報告の送信をトリガすると同じセットの無線特性については、その基地局の無線信号によっては測定報告がトリガされないような論理関数であることを特徴とする請求項１５または１６に記載の方法。
【請求項１９】  前記方法が、稼動状態セット内の基地局の数があらかじめ規定された最大値に等しい場合に使用される論理関数を規定し、かつ最悪の信号条件を有する稼動状態基地局の無線信号特性に基づいて前記第１と第２のセットのトリガ条件を規定するステップを含むと共に、測定報告が候補基地局の無線信号によってトリガされて、その最悪の基地局が前記候補基地局と交換されるようにすることを特徴とする請求項１２に記載の方法。
【請求項２０】  前記最大数が前記ネットワークによって動的に規定されることを特徴とする請求項１９に記載の方法。
【請求項２１】  前記ネットワークが前記移動局（ＭＳ）に対して、前記測定報告にどの情報を含めるかを通知し、かつ、前記移動局（ＭＳ）は前記測定報告にこの情報を含めることを特徴とする請求項１に記載の方法。
【請求項２２】  無線信号があらかじめ規定された条件を用いて配列され、前記移動局（ＭＳ）から送信された測定報告では、条件に基づいてあらかじめ規定された数の最良の信号の特性に関する情報が報告されることを特徴とする請求項２１に記載の方法。
【請求項２３】  報告される無線信号の数が前記ネットワークによって指定されることを特徴とする請求項２１に記載の方法。
【請求項２４】  前記測定報告が報告された信号の経路損の値、またはその関数であることを特徴とする請求項２１に記載の方法。
【請求項２５】  前記測定報告が報告された信号の搬送波対干渉比、またはその関数の値であることを特徴とする請求項２１に記載の方法。
【請求項２６】  前記測定報告は前記トリガ条件のいずれか１つが満たされている場合に生成されることを特徴とする請求項１または２に記載の方法。
【請求項２７】  複数の移動局（ＭＳ）と、複数の基地局（ＢＳ１１、ＢＳ１２）を含むネットワークとを備える通信システム（１０）のための通信ネットワークであって、そのシステムでは前記移動局が前記基地局によって送信された無線信号を監視し、移動局（ＭＳ）と基地局（ＢＳ１１、ＢＳ１２）との間のリンクを確立するか取消しにするかのハンドオーバの決定が、その移動局（ＭＳ）から前記ネットワークに送られる測定報告に基づいて行われる通信ネットワークにおいて、
複数の独立した測定報告トリガ条件を決定するために移動局（ＭＳ）によって使用される該移動局用の複数のパラメータを決定するための決定手段（９１ａ、９１ｂ、９１ｃ）と、
前記決定手段に応答して、決定された前記パラメータを前記移動局（ＭＳ）に送る送信手段（９２）とを備えることを特徴とする通信ネットワーク。
【請求項２８】  複数の移動局（ＭＳ）と、複数の基地局（ＢＳ１１、ＢＳ１２）を含むネットワークとを備える通信システム（１０）のための通信ネットワークであって、そのシステムでは前記移動局が前記基地局によって送信された無線信号を監視し、移動局（ＭＳ）と基地局（ＢＳ１１、ＢＳ１２）との間のリンクを確立するか取消しにするかのハンドオーバの決定が、その移動局（ＭＳ）から前記ネットワークに送られる測定報告に基づいて行われる通信ネットワークにおいて、
移動局（ＭＳ）からの測定報告の伝送をトリガするために複数の基地局の監視される無線信号と共に、移動局（ＭＳ）が利用する複数の独立した測定報告トリガ条件を決定するための決定手段（９１ａ、９１ｂ、９１ｃ）と、
前記決定手段に応答して、前記の決定されたトリガ条件を前記移動局（ＭＳ）に送信するための送信手段（９２）とを備えることを特徴とする通信ネットワーク。
【請求項２９】  前記決定手段はさらに、それぞれのトリガ条件の有効性を規定するように構成されると共に、前記送信手段はその有効性の状態に関する情報を前記移動局に送信するように構成されていることを特徴とする請求項２７または２８に記載の通信ネットワーク。
【請求項３０】  複数の移動局（ＭＳ）と、複数の基地局（ＢＳ１１、ＢＳ１２）を含むネットワークとを備える通信システム（１０）のための通信ネットワーク用のネットワーク構成要素であって、そのシステムでは前記移動局が前記基地局によって送信された無線信号を監視し、移動局（ＭＳ）と基地局（ＢＳ１１、ＢＳ１２）との間のリンクを確立するか取消しにするかのハンドオーバの決定が、その移動局（ＭＳ）から前記のネットワークに送られる測定報告に基づいて該ネットワークで行われるネットワーク構成要素において、
複数の独立した測定報告トリガ条件を決定するために移動局（ＭＳ）によって使用される該移動局用の複数のパラメータを決定するための決定手段（９１ａ、９１ｂ、９１ｃ）と、
前記決定手段に応答して決定された前記のパラメータを前記移動局に送る送信手段（９２）とを備えることを特徴とするネットワーク構成要素。
【請求項３１】  複数の移動局（ＭＳ）と、複数の基地局（ＢＳ１１、ＢＳ１２）を含むネットワークとを備える通信システム（１０）のための通信ネットワーク用のネットワーク構成要素であって、そのシステムでは前記移動局が前記基地局によって送信された無線信号を監視し、移動局（ＭＳ）と基地局（ＢＳ１１、ＢＳ１２）との間のリンクを確立するか取消しにするかのハンドオーバの決定が、その移動局（ＭＳ）から前記のネットワークに送られる測定報告に基づいて該ネットワークで行われるネットワーク構成要素において、
移動局（ＭＳ）のための複数の独立した測定報告トリガ条件を決定するための決定手段（９１ａ、９１ｂ、９１ｃ）であって、前記トリガ条件は異なる基地局に対応する無線信号の監視される特性と共に使用されるように決定される前記決定手段と、
前記決定手段に応答して、前記の決定されたトリガ条件を前記移動局（ＭＳ）に送信するための送信手段（９２）とを備えることを特徴とするネットワーク構成要素。
【請求項３２】  複数の移動局（ＭＳ）と、複数の基地局（ＢＳ１１、ＢＳ１２）を含むネットワークとを備える通信システム（１０）用のための移動局（ＭＳ）であって、そのシステムでは移動局（ＭＳ）と基地局（ＢＳ１１、ＢＳ１２）との間のリンクを確立するか取消しにするかのシステムハンドオーバの決定がその移動局（ＭＳ）から前記ネットワークに送られる測定報告に基づいて前記ネットワークで行われる移動局（ＭＳ）において、
前記ネットワークから複数のパラメータを受信するように構成された受信手段（１０１）と、
前記の受信したパラメータを用いて複数の独立した測定報告トリガ条件を決定する手段と、
それぞれの基地局（ＢＳ１１、ＢＳ１２）から受信した複数の無線信号の特性を監視するための監視手段（１０２）と、
測定報告トリガ条件のうちの１つが満たされているか否かを確認する複数の確認手段と、
前記確認手段に応答して、前記トリガ条件の１つが満たされていると、前記の監視された無線信号に関する情報を含む測定報告を確立する複数の報告手段（１０４ａ、１０４ｂ、１０４ｃ）と、
前記測定報告を前記ネットワークに送信する送信手段（１０５）とを備えることを特徴とする移動局。
【請求項３３】  複数の移動局（ＭＳ）と、複数の基地局（ＢＳ１１、ＢＳ１２）を含むネットワークとを備える通信システム（１０）のための移動局（ＭＳ）であって、そのシステムでは移動局（ＭＳ）と基地局（ＢＳ１１、ＢＳ１２）との間のリンクを確立するか取消しにするかのシステム決定がその移動局（ＭＳ）から前記ネットワークに送られる測定報告に基づいて前記ネットワークで行われる移動局（ＭＳ）において、
複数の独立した測定報告トリガ条件を前記ネットワークから受信し、かつ複数の基地局（ＢＳ１１、ＢＳ１２）から無線信号を受信するように構成された受信手段（１０１）と、
それぞれの基地局（ＢＳ１１、ＢＳ１２）から受信した前記無線信号を監視する監視手段（１０２）と、
前記受信手段（１０１）および前記監視手段（１０２）に応答しかつ前記測定報告トリガ条件の１つが満たされているか否かを確認する機能を有する複数の確認手段（１０３ａ、１０３ｂ、１０３ｃ）と、
前記の監視された無線信号に関する情報を含む測定報告を確立する複数の報告手段（１０４ａ、１０４ｂ、１０４ｃ）と、
前記測定報告を前記ネットワークに送信するための送信手段（１０５）とを備えることを特徴とする移動局。
【請求項３４】  前記受信手段（１０１）はアップリンク信号とダウンリンク信号のための少なくとも第１と第２の異なるセットのトリガ条件と、これらのセットのトリガを組合わせるための論理関数とを受信するように構成されており、
前記確認手段（１０３ａ、１０３ｂ、１０３ｃ）は各々のトリガ条件の状態を決定し、かつ前記論理関数に従ってその状態を組合わせるように構成されており、
前記報告手段（１０４ａ、１０４ｂ、１０４ｃ）は前記論理関数の条件に応じて、前記送信手段（１０５）によって送信される測定報告を確立するように構成されていることを特徴とする請求項３２に記載の移動局。
【請求項３５】  前記受信手段（１０１）はさらに、少なくとも１つのトリガ条件を有効として示し、残りの報告トリガ条件（もしある場合は）を無効であるとして示す情報をネットワークから受信するように構成され、
前記送信手段（１０５）はさらに、少なくとも１つの有効なトリガ条件が満たされている場合は生成された前記測定報告を送信するように構成されることを特徴とする請求項３２から３４のいずれか一項に記載の移動局。
【請求項３６】  前記受信手段（１０１）は基地局特定のオフセット値を受信するように構成されており、
前記確認手段（１０３ａ、１０３ｂ、１０３ｃ）はトリガ条件が満たされているか否かを確認する際に前記基地局特定のオフセット値を利用するように構成されることを特徴とする請求項３２から３４のいずれか一項に記載の移動局。
【請求項３７】  複数の移動局（ＭＳ）と、複数の基地局（ＢＳ１１、ＢＳ１２）を含むネットワークとを備える通信システム（１０）のための移動局（ＭＳ）であって、そのシステムでは移動局（ＭＳ）と基地局（ＢＳ１１、ＢＳ１２）との間のリンクを確立するか取消しにするかのシステム決定がその移動局（ＭＳ）から前記ネットワークに送られる測定報告に基づいて前記ネットワークで行われる前記移動局（ＭＳ）において、
前記ネットワークから測定報告の伝送をトリガするためのパラメータを受信し、かつ複数の基地局（ＢＳ１１、ＢＳ１２）から無線信号を受信するための受信手段（１０１）と、
それぞれの基地局（ＢＳ１１、ＢＳ１２）から受信された複数の無線信号の特性を監視するための監視手段（１０２）と、
監視された前記無線信号の特性と受信された前記パラメータとを利用した方程式によって前記基地局（ＢＳ１１、ＢＳ１２）のリンクの品質の程度を計算するための確認手段（１０３ａ、１０３ｂ、１０３ｃ）とを有し、
前記確認手段（１０３ａ、１０３ｂ、１０３ｃ）は計算されたリンクの質の程度を利用して、測定報告を送信するトリガ条件が満たされているか否かを決定するように構成されていることを特徴とする移動局。
【発明の詳細な説明】
【０００１】
技術分野
この発明は通信システム(10)における無線インターフェースでの測定報告に関する。
【０００２】
背景技術
移動通信システムでは、移動局MSは無線接続を利用してネットワークによって提供されるサービスを利用できる。無線接続は移動局と、移動通信ネットワークの基地局との間の無線インターフェースと呼ばれるチャネルを利用する。通信システムでは無線スペクトルの限定された帯域幅だけしか利用の為に割り当てられていない。充分な容量を得るために、チャネルはできるだけ密度高く再利用されなければならない。これを達成するには、システムの有効エリヤは、各々が1 つの基地局によってサービスされるセルに分割される。それによって、移動通信システムはセルラー・システムとも呼ばれることが多い。
【０００３】
ネットワーク構成要素と、移動通信システムのネットワーク構成要素間の内部関係が図1 に示されている。図に示されているネットワークはETSI( 欧州電気通信標準化機構) によって規格が定められたUMTSシステムに基づくものである。ネットワークは、移動局MSとの接続を確立することができる基地局BTS(基地送受局) と、基地局の利用を制御する無線ネットワークコントローラRNC と、RNC を制御する移動交換センターMSC とから構成されている。加えて、ネットワークはネットワーク管理システムNSM を備えており、これを利用してオペレータは他のネットワーク構成要素のパラメータを修正することができる。MSC とRNC の間のインターフェースは一般にluインターフェースと呼ばれている。RNC とBTS の間のインターフェースはlubis インターフェースであり、BTS とMSの間のインターフェースは無線インターフェースである。幾つかの提案では、RNC 間のインターフェースlur が指定されている。
【０００４】
移動局の発呼はBTS からRNC を経てMSC へとルーティングされる。MSC は発呼を他の移動交換センター、または固定ネットワークへと交換する。発呼は同じMSC の下で、またはたぶん同じBTS の下でさえも別の移動局にもルーティングされることができる。
【０００５】
基地局と移動局との間の無線インターフェースを複数の分割を利用してチャネルに区分してもよい。公知の分割方法には例えば、時分割多重化TDM 、周波数分割多重化FDM 、および符号分割多重化CDM がある。TDM システムでは、システムに割り当てられるスペクトルは時間スロットからなる連続的な時間フレームに分割され、各々の時間スロットが1 つのチャネルを規定する。FDM の場合は、チャネルは接続に利用される周波数によって規定される。CDM の場合は、チャネルは接続に利用される拡散符号によって規定される。
【０００６】
移動通信ネットワークとうまく通信できるようにするため、移動局は基地局によって送信された無線信号を継続的に監視する。休止モード(idle mode) では、移動局は受信した最強の信号を復号化し、必要な場合にはこの信号を送信する基地局からの接続の確立を要求する。
【０００７】
稼動状態接続の間、接続を1 つの基地局から他の基地局へと移動させることができる。1 つの基地から他の基地への接続の移動は、信号を単に再ルーティングすることによって可能であり、これはハード・ハンドオーバー(hard handover) と呼ばれている。移動局が複数の基地局と同時に接続されるソフト・ハンドオーバー(soft handover) を利用することによって、特にCDM を採用しているCDMA( 符号分割多元接続) システムでは、システム干渉を低減することができ、ひいては、容量を増大することができる。これらの基地局はいわゆる接続の稼動状態セット(active set)を形成する。
【０００８】
ハンドオーバーは、
・セル内ハンドオーバー
・同じ無線ネットワーク・コントローラの下での2 つの基地局間のセル間ハンドオーバー
・同じMSC の下での2 つのRNC 間のRNC 間ハンドオーバー、または、
・異なるMSC の下での2 つのセル間のMSC 間ハンドオーバーでよい。
【０００９】
加えて、ハンドオーバーは、ハンドオーバー手順に含まれる全てのチャネルが同じ周波数である周波数内ハンドオーバーと、ハンドオーバー手順に含まれる少なくとも2 つの周波数からのチャネルがある周波数間ハンドオーバーに区分することができる。
【００１０】
稼動状態接続の間に適正な基地局へのハンドオーバーを確立できるように、移動局は、それが接続されている基地局、並びにその隣接基地局からの無線信号を継続的に測定する。測定結果は、システム内で指定された測定報告方式を利用してネットワークに伝送される。報告に基づいて、移動局が別の基地局へのより良好な、または少なくとも充分に良好な無線接続を確立すると見られる時にネットワークはハンドオーバーを開始する。
【００１１】
ネットワークが開始するハンドオーバーに加えて、移動局が評価するハンドオーバーも公知である。移動局が評価するハンドオーバーの説明の例では、移動局は隣接する基地局から受信した信号レベルを監視し、与えられた閾値のセット以上、または以下であるビーコン信号をネットワークに対して報告する。これらの閾値は後述するように動的に調整される。この報告方式に基づいて、ネットワークは接続の稼動状態セットを変更するか否かを決定する。
【００１２】
2 つの種類の閾値が用いられる。1 つはコヒーレント復調に利用されるのに充分な出力を有するビーコンを報告するためであり、もう1 つは、送信された情報を受信するのには有利ではないレベルまで出力が低下したビーコンを報告するためである。この情報に基づいて、ネットワークはMSに対してその稼動状態セットから基地局信号を追加するか除去するかを指令する。
【００１３】
ソフト・ハンドオーバーは全体的な性能を向上させるものの、場合によってはシステムの容量とネットワーク資源に悪影響を及ぼすことがある。その理由は、MSと、稼動状態セットにある基地局との間の不要なブランチにある。基地局から移動局へのダウンリンク方向では、過度なブランチによってシステムの容量が低下し、一方、移動局から基地局へのアップリンク方向では、より多くのネットワーク資源を必要とする。
【００１４】
この問題点を解決するために、稼動状態セット管理のための動的閾値の原理が先行技術から公知である。この方法では、MSは与えられた静的閾値T1を横切るビーコンを検出する。この閾値を横切ると、ビーコンは候補セットへと移動される。次にビーコンはより頻繁に探索され、第2 の動的閾値T2についてテストされる。この第2 の閾値T2は、ビーコンを稼動状態セットに追加する価値があるか否かをテストする。
【００１５】
稼動状態セット内のブランチに対応するビーコンが弱い場合は、追加のブランチ信号が弱い場合でも、これを追加すれば性能が向上する。このような状況で、比較的低いT2の値が用いられる。1 つ以上の支配的なビーコンがある場合は、そのビーコン信号がT1以上であるより弱い追加のブランチを追加すると性能は向上せず、より多くのネットワーク資源を費やす。このような状況ではより高いT2の値が用いられる。
【００１６】
T2以上の基地局信号を検出した後、MSはそれをネットワークに報告を返す。次にネットワークはハンドオーバー資源をセットアップし、MSに対してこの追加のブランチの信号をコヒーレント復調するように指令する。
【００１７】
同じ原理に基づいてビーコンを稼動状態セットから外すことができる。ビーコンの強度が動的閾値T3未満に低下した場合は、ハンドオーバー接続は切り離され、ビーコンは候補セットに戻される。閾値T3は稼動状態セット内のビーコンの総エネルギの関数である。稼動状態セット内のビーコンが弱い場合は、ブランチが弱くてもブランチを切り離すと性能が低下する。このような状況では、比較的低いT3の値が用いられる。1 つ以上の支配的なブランチがある場合は、より弱い信号を外しても性能は低下せず、ネットワーク資源の利用効率が高まる。このような状況では、より高いT3の値が用いられる。受信した総エネルギに充分に貢献しないブランチは外される。静的閾値T4から更に低下すると、ビーコンは候補セットから外される。
【００１８】
接続を制御できるようにするため、ネットワークは異なる状況で、異なる種類と異なる量の測定情報を必要とする。より多くの情報が送信されると、ハンドオーバー・アルゴリズムの効率はより高まる。しかし、移動局がより多くの情報をネットワークに送信すると、より多くの無線資源が費やされる。このように、先行技術に基づく測定報告方式は常に、ハンドオーバー・アルゴリズムの効率と、無線資源の利用度との妥協の産物である。
【００１９】
移動通信システムの利用法と大きい帯域幅を必要とするマルチメディアの用途が増大するにつれて、現在の方法ではもはや不充分であり、ひいては移動通信ネットワークの性能に限界がある。この発明の目的は、この問題点を解決する柔軟性のある測定報告方式を提供することにある。
【００２０】
発明の開示
この発明の基本構想は移動局からネットワークに測定報告を送信するための少なくとも2 つの異なるトリガ(trigger) を指定することにある。この発明に基づいて、ネットワークは異なる種類の測定報告のために用いられるトリガを指定する。トリガは好適には無線信号のパラメータの上下の閾値、タイマー条件などである。測定された値がその上限の閾値を超え、または下限の閾値より低いことが検出されることに応答して、移動局はネットワークに測定報告を送信する。
【００２１】
好適な実施例では、1 つまたは複数のトリガをネットワークによって作動停止することができる。しかし、少なくとも1 つのトリガは常に稼動状態になければならない。
【００２２】
1 つの好適な実施例では、トリガ、すなわち閾値はダウンリンクおよびアップリンク方向で別個に規定される。加えて、これらのトリガの出力をどのように組合わせるかが指定される。例えば、完全にダウンリンク条件に基づき、または完全にアップリンク条件に基づき、アップリンクとダウンリンクの条件の双方が満たされた場合、そのいずれかが満たされた場合、測定報告が送信されるか否かを判定できる。
【００２３】
1 つの好適な実施例では、1 つの種類の測定報告は移動局が評価するハンドオーバーの測定報告である。このような報告は、移動局が評価するハンドオーバーのための無線信号パラメータの少なくとも1 つの上限閾値を超えるか、下限閾値を下回った場合に移動局内でトリガされる。
【００２４】
別の好適な実施例では、1 つの種類の測定報告は周期的ハンドオーバー測定報告である。このような報告はネットワークが設定した周期で周期的にトリガされる。
【００２５】
更に別の実施例では、1 つの種類の測定報告は条件の変化に基づく測定報告である。この種類の報告では、測定報告の伝送は、ネットワークが設定した閾値を超える無線信号パラメータの変化によってトリガされる。
【００２６】
発明を実施する最良の形態
この発明を添付の概略図を参照してより詳細に説明する。
【００２７】
この発明の基本構想は図2 に概略的に示されている。段階G00 では、ネットワーク内で複数のトリガが規定される。図示した実施例では、3 つのトリガ、すなわちトリガ1 、トリガ2 、トリガ3 が規定される。しかし、この発明は正確に3 つのトリガを用いることに限定されるものではなく、トリガの数は2 つ、またはそれ以上の任意の数でもよいことにここで留意のこと。移動局(MS)にはこれらのトリガについての情報が送られる。
【００２８】
移動局(MS)は隣接基地局からの無線信号を継続的に測定(監視)する( 段階G01)。これらの測定では、移動局は測定結果をトリガと比較するために必要な情報を取得する。
【００２９】
段階G02 では、測定結果がトリガ1 と比較される。トリガを発射する条件が満たされると( 決定段階G03)、第1 種の測定報告が段階G10 でネットワークに送信され、手順は段階G01 へと続く。条件が満たされない場合は、手順は段階G04 に続く。
【００３０】
段階G04 で、測定結果がトリガ2 と比較される。トリガを発射する条件が満たされると( 決定段階G04)、第2 種の測定報告が段階G20 でネットワークに送信され、手順は段階G01 へと続く。条件が満たされない場合は、手順は段階G06 に続く。
【００３１】
段階G06 では、測定がトリガ3 と比較される。トリガを発射する条件が満たされると( 決定段階G07)、第3 種の測定報告が段階G30 でネットワークに送信される。そこで手順は段階G01 へと続く。
【００３２】
好適な実施例では、1 つまたは複数のトリガをネットワークによって作動停止することができる。このように、ネットワークは報告方式を柔軟に調整することができる。例えば、セルの内部にある場合、移動局(MS)は基地局(BS11, BS12)と極めて良好にリンクされる。このような状況では、移動局がネットワークに対して、与えられた閾値よりも悪いリンクを獲得するとその旨を通知することが適切である。このような状況では、トリガ条件の1 つだけが稼動状態にある。移動局がセルの境界領域に達すると、この閾値条件は満たされ、移動局はネットワークに対して測定報告を送信する。この報告を受信すると、ネットワークは移動局をより密にフォローするべきであることを決定し、移動局に対して周期的に、かつリンクのモニタが第2 の閾値条件を満たすと即座に、測定報告の送信を開始するように指令する。この時点で、2 つのトリガ条件が稼動状態にある。しかし、あらゆる状況で、少なくとも1 つのトリガ条件は稼動状態になければならない。
【００３３】
図2 では、段階G02 、G04 、およびG06 における比較は順次行われるように示されている。しかし、これらは並行したプロセスとして実施されてもよい。
【００３４】
以下では、測定報告の3 つの好適な種類をより詳細に指定する。これらの種類は、ソフト・ハンドオーバーを利用した広帯域CDMA(WCDMA) システムを採用する場合に特に好適である。報告の種類は移動局評価ハンドオーバー(MEHO)、周期的測定報告、および条件の変化に基づく測定報告である。
【００３５】
移動局評価ハンドオーバー
この文脈では、移動局評価ハンドオーバーとは、移動局(MS)内にあるハンドオーバー測定アルゴリズムがハンドオーバー報告をトリガすることを意味している。実際のHO決定は常にネットワークによって行われる。ハンドオーバー報告の種類は更に、周波数内、および周波数間のハンドオーバー報告に区分される。
【００３６】
周波数内ハンドオーバー
以下に示すアルゴリズムはダウンリンク(DL)、アップリンク(UL)、または双方に関する情報をHO報告のためのトリガとして利用する可能性を含んでいる。この方式は更に、HO報告の情報内容を制御するための柔軟な手段を提供する。アルゴリズム内の実際の閾値およびタイマーは、多様なHOアルゴリズムを適宜な設定によって構成することができるように選択される。
【００３７】
移動局(MS)は以下に記載する手順に従って、異なるBTS からの無線信号で継続的に測定を実施する。
【００３８】
移動局(MS)はBTSi用のビーコン・チャネルの受信電力を測定する。この電力はP rx,i(mW)と表わされる。MSはこの測定をt(好適にはネットワークによって設定されるパラメータ) の期間だけ実施する。P rx,iの値は測定期間に亘って加算平均される。この演算の結果はP ＿ave rx,iと呼ばれる。測定が完了すると、L i (dB)で表わされる経路損の推定値が下記のように計算される。
【００３９】
L i =-10log10[(P ave rx,i)/(P beacontx,i)]                 (1)
【００４０】
(1) で、 P beacontx,iの単位はmWである。
【００４１】
同じ測定期間t の間、MSは受信した合計信号を拡散符号と相関をとる前、または後( これは好適にはネットワークによって規定されるパラメータである) のビーコン・チャネルの干渉電力をも推定する。計算された値は、相関によって他の接続に起因する干渉が著しく減少することにより相関の前と後では異なっている。この干渉はI i (mW)で表わされる。干渉も測定期間に亘って平均される。平均の完了後、平均値はdBm に変換される。この平均値はI ＿ave i と呼ばれる。
【００４２】
MSは更に、例えばビーコン・チャネル上でDL＿offseti (dB)で表わされる BTSi のDL＿offset値を受信する。これは比較的安定したパラメータであり、従って測定期間ごとにこれを再受信する必要はない。この基地局(BS11, BS12)の特定のパラメータの目的は異なるセル・サイズを指定することである。移動局(MS)は第1 セットのセルからのほうが第2 セットのセルからよりもハンドオーバーされやすい。このように、第1 セットのこれらのセルは他のセットのセルよりも小さくなる。オフセット値はやがてより詳細に示される、基地局特有の閾値の追加部分と見なすことができる。
【００４３】
上記の情報からMSは下記のように1 つのDL HO 測定S dl,iサンプルを計算する。
【００４４】
S dl,i=Li +Iave,i + DL＿offseti                              (2)
【００４５】
このように、S dl,iは測定される信号の搬送波対干渉比CIR の尺度である。S dl,iの値が大きいほど、基地局(BS11, BS12)から移動局(MS)へのリンクの状態が悪いことに留意のこと。この発明の範囲は、この特定の尺度を利用することに限定されるものではなく、この発明を実施する場合に、リンクの品質のその他の尺度も同様に利用できる。1 例として、受信された無線信号のビット誤り率BER を尺度として利用することができる。
【００４６】
MSは更に、例えばビーコン・チャネルで、 BTSi における全干渉出力I ul,i(dBm) と、 BTSi のULオフセット値、UL＿offseti (dB)をも受信する。次にMSは1 つのUL HO 測定サンプルを下記のように計算する。
【００４７】
S ul,i=Li + I ul,i+ UL＿offseti                              (3)
【００４８】
これらの測定と計算が BTSi についてなされると、次にMSは結果をベトクルL ＿vecti (Li の値についての) 、S ＿vectdl,i(Sdl,iについての) 、およびS ＿vectul,i(Sul,iの値についての) 、に第1 の要素として配置する。これらのベクトルの最後の要素は破棄される。ベクトルは測定結果の履歴からなっている。これらのベクトルの長さによって規定され、保持される履歴の長さはネットワーク・パラメータである。
【００４９】
この基地局信号の測定を行って、MSは以下の章で述べるHOアルゴリズムに従ってMEHO報告が伝送されるべきであるか否かをチェックする。アルゴリズムの引き数は例えばベクトルS ＿vectdl,i、およびS ＿vectul,iの中央値、または平均値のいずれかでよく、好適にはネットワークによって規定される。加えて、MSは次のBTS  BTSi+1 によって伝送されるビーコン信号の測定を開始する。
【００５０】
HOアルゴリズムはMEHO測定報告の伝送をトリガするために利用される。このアルゴリズムでは伝送のULおよびDL方向は別個に取り扱われる。従って実際には2 つのアルゴリズムがMS内で独立して機能することができる。ネットワークはMSに対して、測定報告の伝送をトリガするために上記のいずれか1 つ、または双方を利用するように指令することができる。しかし、稼動状態セットは双方の伝送方向について常に同じであることに留意のこと。
【００５１】
アルゴリズムは下記の閾値を含んでいる。
１．本明細書ではBA＿abs th及びBA＿rel thで表わされるブランチ追加閾値
２．本明細書ではBD＿abs th及びBD＿rel thで表わされるブランチ削除閾値
３．本明細書ではBR＿rel thで表わされるブランチ置換閾値
【００５２】
閾値1 および2 については、閾値の絶対値と相対値の双方が規定される。アップリンクとダウンリンクの方向について別個の値を規定することができる。閾値はブランチ追加(BA)、ブランチ削除(BD)およびブランチ置換(BR)の決定ユニットで用いられる。これらのユニットはハードウェア・ユニット、ソフトウェア・ブロック、またはこれらの組合わせとして実施することができる。
【００５３】
これらのアルゴリズムの基本構造が図3 に示されている。アップリンク比較ユニットULU はアップリンク無線信号の測定結果を、これらの信号に設定された閾値によって規定されたトリガと比較し、論理真理値を出力する。ダウンリンク比較ユニットDLU はダウンリンク無線信号の測定結果を、これらの信号に設定された閾値によって規定されたトリガと比較し、論理真理値を出力する。ULU とDLU の結果は論理関数を用いて1 つの論理信号に組合わされる。論理値は例えばAND またはOR関数でよく、またはブロックの入力値の1 つを直接出力する関数でもよい。この信号の真理値が確認され、真理値が例えば真(TRUE)である場合は報告が送信される。勿論、ULU とDLU の出力を組合わせる際に別の論理関数を用いれば、真の値が偽(FALSE) である場合に報告が送信されるものと規定することができる。
【００５４】
図3 に示した並列の決定ユニットBA、BD、およびBRは異なる状況で用いられる。BAは、基地局(BS11, BS12)が接続の稼動状態セットになく、また、MSと稼動状態セットにあるBTS とのリンク数が与えられた限度N AS,max未満である場合に用いられる。N AS,maxの値は好適にはネットワークによって設定されるパラメータである。
【００５５】
BDは、基地局(BS11, BS12)が接続の稼動状態セットにある場合に用いられる。ピンポン効果を防止するために、MSとBTS 間のリンクについて同じ測定値によって、双方のユニットが同じリンクの追加または削除を提案する測定報告をトリガせしめることがないように、BAおよびBDブロックの論理関数は一貫していなければならない。例えば、論理関数AND およびORが用いられる場合は、ORの値を双方の決定ブロックで用いることはできない。
【００５６】
BRが用いられるのは、基地局(BS11, BS12)が接続の稼動状態セットになく、稼動状態セット内のMSとBTS 間のリンク数が限度N AS,maxに等しい場合である。この決定ユニットは稼動状態セットの1 つのリンクを無線特性がより良好な別のリンクと置換する場合に用いられる。
【００５７】
ブランチ追加アルゴリズムBAのダウンリンク比較ユニットの1 つのアルゴリズムの実施例が図4 に示されている。このアルゴリズムは、稼動状態セットに属さない基地局(BS11, BS12)からのビーコン信号用に用いられる。段階A1で、稼動状態セット内の基地局の数があらかじめ規定された限度未満であるか否か、すなわち稼動状態セットが満杯状態にあるか否かがチェックされる。ここでは例えば、限度3 を用いることができる。稼動状態セットが満杯状態である場合は、このアルゴリズムの代わりにブランチ置換アルゴリズムが用いられる( 段階A10)。
【００５８】
稼動状態セットが満杯状態にある場合は、手順は手順A2、A3、A4に進み、そこでは、
・新たな測定結果が受信されたか否かがチェックされ( 段階A2) 、
・S i,DLが絶対的な閾値BA＿abs th,DL と比較され、
・S i,DLが絶対的な閾値S ＿besti,DL+BA ＿rel th,DL と比較される。但し、S ＿besti,DLは最も稼動状態のブランチについて測定された値である。
【００５９】
新たな結果が受信されており、かつ閾値BA＿abs th,DL とS ＿besti,DL +BA＿rel th,DL の双方がS i,DL以上である場合は、DLU の出力は真に設定される。
【００６０】
アップリンク・ブランチは同様のアルゴリズムを用いて実施することができる。アップリンクの同じ結果が受信され、閾値BA＿abs th,UL およびS ＿besti,UL-BA ＿rel th,UL が両方ともS i,UL以上である場合は、ULU の出力は真に設定される。異なる方向で用いられる閾値BA＿abs th,DL /BA ＿abs th,UL およびBA＿rel th,DL /BA ＿rel th,UL は互いに異なっていてもよく、同一であってもよい。
【００６１】
DLU およびULU アルゴリズムの値は図3 に示すように論理関数に入力される。関数が真の値を出力する場合はMEHO測定報告が送信される。例えば、用いられる論理値がAND である場合は、ULU とDLU の双方が真の値を有している場合にMEHO測定報告が送信される。
【００６２】
ブランチ削除アルゴリズムBDのダウンリンク比較ユニットDLU のアルゴリズムの実施態様が図5 に示されている。このアルゴリズムは稼動状態セットに属する基地局(BS11, BS12)からのビーコン信号に用いられる。
【００６３】
先ず新たな測定結果が受信されたか否かがチェックされる( 段階D2) 。測定結果S i,DLが閾値BD＿abs th,UL と比較され( 段階D3) 、かつS ＿besti,DL+BA ＿rel th,UL と比較される( 段階D4) 。これらの閾値のいずれかがS i,DL未満である場合は、DLU は真に設定される( 段階D5) 。そうではない場合は、DLU は偽に設定され( 段階D10)、動作中セット内の次のビーコン信号が測定される。
【００６４】
ULU の値を規定するために、アップリンク測定結果とアップリンク閾値との間で同様の比較がなされる。MEHO測定報告を送信すべきか否かを決定するために、ネットワークにより規定された論理関数を用いてDLU とULU とが組合わされる。ピンポン効果を防止するため、用いられる論理関数は、同じ測定結果によって、BAがブランチの追加を要求し、またBDが同じブランチを削除することがないように選択される。この要求基準を満たすために、同じ報告オプションに基づくBAとBDのアルゴリズムで用いられる論理関数のうちの1 つだけがOR論理関数であることができる。
【００６５】
ブランチ置換アルゴリズムBRのダウンリンク比較ユニットDLU のアルゴリズムの実施態様が図6 に示されている。このアルゴリズムは稼動状態セットに属さない基地局(BS11, BS12)からのビーコン信号に用いられる。段階R1で、稼動状態セット内の基地局の数があらかじめ規定された限度に等しいか否か、すなわち稼動状態セットが満杯状態にあるか否かがチェックされる。一例として、ここでは限度3 を用いることができる。稼動状態セットが満杯状態にない場合は、このアルゴリズムの代わりにブランチ追加アルゴリズムが選択される( 段階R10)。
【００６６】
稼動状態セットが満杯状態にある場合は、手順は新たな測定結果が受信されたか否かをチェックする手順に進む( 段階R2) 。新たな測定結果が受信されていない場合は、次のビーコン信号が検討される。新たな測定結果S i,DLが受信されている場合は、これは段階R3で稼動状態セット内の最悪のリンクの測定値S ＿worst i,DLと比較される。S ＿worst i,DLがBR＿rel thのマージンを有して、S i,DLを超える場合は、DLU は真に設定される( 段階4)。そうでない場合は、ULU は偽に設定され( 段階R20)、次のBTS での測定は、検討中の稼動状態にセットには属していない。
【００６７】
アップリンク・ブランチは同様のアルゴリズムを用いて実施することができる。この比較では、S i,ULが稼動状態セット内の最悪のリンクのS ＿worst i,DLと比較される。S i,DLがBR＿rel thのマージンを有してS ＿worst i,DLを超える場合は、DLU は真に設定される。マージン値BR＿rel thは好適にはダウンリンクとアップリンクの方向で同一であるが、異なる方向では異なる値を用いることもできる。これはネットワークによって規定されるパラメータである。DLU とULU は、MEHO測定報告を送信するか否かを決定するために論理関数を用いて組合わされる。論理関数は好適にはAND 論理関数である。別の好適な実施例では、論理関数はネットワークによって自由に調整できる。論理関数の出力は、例えばDLU またはULU の真理値であることができる。
【００６８】
移動局(MS)内のMEHOアルゴリズムが測定報告をトリガすると、M の最良セル/ セクタの状態が伝送される。伝送された測定報告は常に稼動状態セットに適した値を含んでいる。M の最良セル/ セクタは報告をトリガしたのがDLまたはULアルゴリズムのどちらであるかに応じてS i,dlまたはS i,ulの値を用いて決定される。報告の内容は好適にはネットワークから送信されたメッセージで判定される。測定報告は例えば、報告されるべき各々のセル/ セクタについて下記の値を含んでいる。これらの値はフィルタリングされた値である。
１．S i,dl
２．S i,ul
３．L i
【００６９】
測定報告はそのビーコン信号が復号化された隣接BTS に関する情報だけを含むことができることに留意のこと。このように、ハンドオーバー報告は報告されているBTS の数の情報を含んでいる必要がある。
【００７０】
測定報告に含まれている情報は好適にはネットワークによって規定される。例えば、その出力レベルが測定報告で報告されるべきビーコン信号の数は好適にはネットワークによって規定される。
【００７１】
周波数間HO
周波数間測定は常にネットワークによって開始される。このように、移動局(MS)はネットワークが最初にMSに対して周波数間HO測定を開始するように指令した後で初めて周波数間MEHOを実施することができる。
【００７２】
周波数間HOには少なくとも３つの異なる理由がある。
１．有効範囲。例えばMSがマイクロセルの有効範囲エリヤから外れ、マクロセルにハンドオーバーしなければならない場合。このケースは比較的単純である。例えば、ブランチ削除が測定報告をトリガし、1 つのブランチだけが稼動状態にある場合は、ネットワークによる結論はMSが有効範囲エリヤから外れているということになる。ネットワークはこれに応答して″i-f測定を開始″ のメッセージを伝送する。このメッセージには可能性がある候補BTS を含んでいる。次に移動局(MS)は別の周波数でのより強力なBTS の探索を開始するであろう。測定報告の伝送は、MSが現在の周波数で最良の稼動状態ブランチよりも強力な他の( 新たな) 周波数で候補BTS を発見した場合にトリガされる。
２．負荷。何らかの理由から、利用されている周波数の負荷が何か他の利用できる周波数の負荷よりも高い場合は、周波数間HOが適切である。このような状況は恐らくネットワークだけが掌握するであろう。ネットワークが過負荷状況を検出した後は、動作はケース1 の場合と同様である。
３．移動局の速度。MSの速度は極めて速いので、MSをマイクロセル層に接続した場合は過剰な量のハンドオーバーが必要である。これは更に検討を要する項目である。すなわち、最も重大な問題はMSの速度の検出である。すなわち、MSの速度を確実に推定する方法があるか否か?   受信されるビーコン出力は、高速フェージングに基づいた方法を利用するのに充分に頻繁に測定されるのか?   また、推定が移動局(MS)内で行われる場合は、MSはその速度を示すためにどのような信号で通信するのか?
【００７３】
MSに対してネットワークから周波数間測定を開始するように指令がなされた後、MSは測定開始コマンドで与えられる周波数で測定を実施する。
【００７４】
周波数間測定報告の伝送をトリガするためのアルゴリズムが用いられる。このアルゴリズムでは、ULおよびDLの伝送の方向は別個に取り扱われる。従って、実際には2 つの決定アルゴリズム、すなわちDLU とULU がMS内で独立して機能する。これらのアルゴリズムの出力は図3 に示すように組合わされて、測定報告の送信に関する最終決定が下される。ネットワークはMSに対して、測定報告の伝送をトリガするために、上記のアルゴリズムのいずれか1 つあるいは両方を利用するように指令することができる。しかし、稼動状態セットは双方の伝送方向で常に同じであることに留意されたい。
【００７５】
アルゴリズムは以下の閾値を含んでいる。閾値として、絶対値と相対値の閾値CF＿abs thとCF＿rel thが規定される。このアルゴリズムのDLU ユニットの決定のフローチャートが図7 に示されている。
【００７６】
稼動状態セットに属さない新たな周波数で新たな測定結果が得られた場合は、ビーコン信号がこうむるリンク損失が絶対値の閾値CF＿abs thと比較される。リンクの品質が充分なものである場合は、これは稼動状態セット内の最良のリンクと比較される。あらかじめ規定されたマージンを伴って品質がより良好である場合は、DLU アルゴリズムの出力は真に設定される。
【００７７】
同様のアルゴリズムULU がダウンリンク方向にも実行される。DLU とULU の出力が前述の論理関数を用いて組合わされる。
【００７８】
HOアルゴリズムが周波数間測定報告をトリガすると、M の最良のセル/ セクタの状態が伝送される。M の最良のセル/ セクタは、報告をトリガしたのがDLアルゴリズムであるかULアルゴリズムであるかに応じて、S i,dlまたはS i,ulの値を用いて決定される。報告の内容は、ネットワークから送信されたメッセージで判定される。測定報告は例えば、報告されるべき各々のセル/ セクタごとの下記の値を含んでいる。
これらの値はフィルタリングされた値である。
１．S i,dl
２．S i,ul
３．L i
【００７９】
可能な論理関数は上記の例で示したものに限定されるものではないことに留意のこと。例えば、DLU とULU 関数の出力がバイナリではなく、より多くのレベルを有し、またはそれぞれの方向での無線信号の何らかの事象によってトリガされた連続関数である場合は、DLU およびULU の関数の出力に基づいて測定報告を送信するか否かの決定を下す場合にファジーな論理関数を用いることができる。ファジーな論理関数は好適にはネットワークによって与えられる。
【００８０】
周期的ハンドオーバー報告
周期的測定方式では、MSは継続的に無線信号での測定を行う。測定報告はMSによって周期的にネットワークに伝送される。伝送周期はネットワークによって設定されたパラメータ T reportによって規定される。これはM の最良のセル/ セクタを含んでいる。伝送された測定報告は常に、稼動状態セット用の適宜な値をも含んでいる。セクタの順序がS i,dlまたはS i,ulのどちらによって設定されるかは、ネットワークによって設定される。
【００８１】
測定報告は例えば、報告されるべき各々のセル/ セクタごとに下記のフィルタリングされた値を含んでいる。
これらの値はフィルタリングされた値である。
１．S i,dl
２．S i,ul
３．L i
【００８２】
測定報告はそのビーコン信号が復号化された隣接BTS に関する情報だけを含むことができることに留意のこと。このように、ハンドオーバー報告は報告されているBTS の数の情報を含んでいる必要がある。ネットワークによって規定されるパラメータは好適には前述のMEHOのケースで規定されたパラメータと同様である。
【００８３】
条件の変化に基づくHO報告方式
条件の変化に基づく測定報告の伝送は、条件が充分な量だけ変化するとトリガされる。必要な変化の量はネットワークによって設定され、Changeth(dB)で表わされる。
【００８４】
この報告方式では、MSはN の( 好適にはネットワークによって規定されるパラメータ) 最良のBTS のリストを保存する。その順序はS i,ulまたはS i,dl( 好適にはネットワークによって設定されるオプション) を用いて決定される。これらのBTS の1 つのS i,ulまたはS i,dlの値がChangethだけ変化すると、変化した数量の新たな値を含む測定報告が伝送される。測定報告はまた、リスト内の最悪のBTS と比較してReplace th(dB)よりも良好な新たなBTS が出現した場合にも伝送される( この比較にはBTS がどのような順序で配置されたかに応じてS i,ulまたはS i,dlの値が用いられる) 。測定報告は多くてもTms(これはネットワーク・パラメータである) ごとに伝送することができる。
【００８５】
この方法では、MSがメモリ内の表に前の測定報告で伝送されたパラメータ値を保存することが必要である。すなわち、MSはMSによって伝送された測定報告に基づいてネットワークが認識する状況をメモリ内に保存する必要がある。この表は構成要素として( ネットワークによって) 報告されるように要求された数量の値、および報告された基地局(BS11, BS12)のセット、すなわちそのビーコン信号の測定が報告される基地局の集合を含んでいる。この表の様式すなわちHO table は例えば下記のとおりである。
【００８６】
【表１】
2002504792.tif 000001
【００８７】
条件の変化に基づく測定報告を送信するための決定図の実施例が図8 に示されている。信号が測定され( 段階C1) 、測定報告が送信されると( 段階C2) 、手順はネットワークによって規定された遅延T の間待機する( 段階C3) 。段階C4で、報告された基地局(BS11, BS12)すなわち候補基地局のセットに属さないビーコン信号のうちの最良の信号が、報告された基地局のセットに属するビーコン信号のうちの最悪の信号と比較される。候補基地局の信号の品質がネットワークによって規定されたマージンreplace-thだけ報告された最悪の基地局の信号の品質を超えている場合は、最悪の基地局は報告された基地局のセット内の候補基地局と置換される( 段階C10)。HO table は更新され( 段階C11)、測定報告が伝送される( 段階C12)。
【００８８】
報告された基地局(BS11, BS12)のリストを更新する必要がない場合は、測定された信号値の変化が段階C5で与えられた閾値と比較される。閾値を超えない場合は、手順は段階C4に戻る。少なくとも1 つの閾値を超えた場合は、測定報告が生成され( 段階C11)、伝送される( 段階C12)。
【００８９】
測定報告の内容は、その測定値(Si,ulまたはS i,dl) が変化したBTS のHO table の構成要素と同じでよい。測定報告/ HO table は例えば、報告されるべき各々のセル/ セクタごとに下記のフィルタリングされた値を含むことができる。
１．S i,dl
２．S i,ul
３．L i
【００９０】
条件の変化に基づく報告方式の周波数間方式は、ネットワークがMSに対して必要な場合だけ測定を開始するように指令することを除いては周波数内方式と同様である。
【００９１】
本発明に基づくネットワークの機能性が図9 に示されている。ネットワークは、
・独立した複数のトリガ条件を決定するための決定手段(91a, 91b, 91c)と、
・決定手段に応答して、決定されたトリガ条件を移動局(MS)に送信するための送信手段(92)とを備えている。
【００９２】
送信手段(92)は例えば移動局(MS)へのトラフィック接続に関連する専用制御チャネルDCCHを使用して対応する移動局に閾値を送信することができる。これらの手段は好適には、無線ネットワークコントローラRNC のようなネットワークの単一のネットワーク構成要素で実施される。
【００９３】
好適な1 実施例では、決定手段(91a, 91b, 91c)の1 つは、移動局(MS)が評価するハンドオーバーの少なくとも1 つの上のほうの閾値が超えられるか、または下のほうの閾値が下回られた場合に、移動局内の測定報告の送信をトリガするための閾値を決定する。このような閾値のための適宜のパラメータの例は上記の通りである。
【００９４】
好適な1 実施例では、決定手段(91a, 91b, 91c)の1 つは周期的に測定報告の伝送のためのトリガ条件を決定する。この場合は、決定手段は測定報告の適切な周期を決定する。
【００９５】
決定手段(91a, 91b, 91c)は好適にはそれぞれのトリガ条件の活動を規定するように構成され、かつ送信手段(92)はこの情報を移動局(MS)に送信するように構成されている。
【００９６】
更に別の実施例では、決定手段(91a, 91b, 91c)の1 つは、ネットワークによって与えられた閾値を超える無線資源内の変化によってトリガされる移動局(MS)内の測定報告の送信をトリガするための閾値を決定する。このような閾値の適当なパラメータの例は上記の通りである。
【００９７】
本発明に基づく移動局(MS)が図10に示されている。移動局は、
・ネットワークから測定報告の伝送のトリガ条件を受信する受信手段(101)と、
・無線信号を監視するための監視手段(102)と、
・受信手段および監視手段に応答し、かつ特定の種類の測定報告を送信するトリガ条件が満たされているか否かを確認する機能性を有している複数の確認手段(103a, 103b, 103c)と、
・確認手段に応答して測定報告を確立するための複数の報告手段(104a, 104b, 104c)と、
・報告手段に応答してネットワークに測定報告を送信する送信手段(105)とを備えている。
【００９８】
好適には移動局(MS)は図3 に示すように更に、
・アップリンクとダウンリンク測定のためのトリガ条件を別個に確認して、2 つの異なる確認結果を生成するための決定手段(DLU、ULU)と、
・決定手段に応答して確認結果を組合わせ、かつ測定値を送信するか否かを決定するための組合わせ手段と、
を備えている。
【００９９】
本発明に基づく測定報告方式は測定結果を報告するための柔軟な手段を提供する。このような柔軟性の利点は、測定報告の目的に費やされる無線資源の量を最小限に抑えつつ、ネットワークに必要な情報を提供するように測定報告を調整できることにある。
【０１００】
これまで本発明の原理を説明するために、この発明を好適な実施例によって説明してきた。詳細に関しては、この発明は添付の特許請求の範囲の枠内で変更してもよい。例えば、測定報告を送信するためのトリガ条件は、ダウンリンクおよびアップリンク測定結果の線形な組合わせの閾値でもよい。この場合は、線形な組合わせを規定する関数は好適にはネットワークによって規定される。
【図面の簡単な説明】
【図１】
図１は移動電気通信システムを示している。
【図２】
図２は測定報告方式を示している。
【図３】
図３はMEHOアルゴリズムの構造を示している。
【図４】
図４は決定のフローチャートを示している。
【図５】
図５は決定のフローチャートを示している。
【図６】
図６は決定のフローチャートを示している。
【図７】
図７は決定のフローチャートを示している。
【図８】
図８は決定のフローチャートを示している。
【図９】
図９は電気通信ネットワーク(10)の機能的な構成要素を示している。
【図１０】
図１０は移動局(MS)の機能的な構成要素を示している。


【手続補正２】
【補正対象書類名】図面
【補正対象項目名】図１
【補正方法】変更
【補正の内容】
【図１】
2002504792.tif 000002
【手続補正３】
【補正対象書類名】図面
【補正対象項目名】図９
【補正方法】変更
【補正の内容】
【図９】
2002504792.tif 000003
【手続補正４】
【補正対象書類名】図面
【補正対象項目名】図１０
【補正方法】変更
【補正の内容】
【図１０】
2002504792.tif 000004